(57)【要約】    【課題】  不定形の印刷物を効率的にラミネート加工する。    【解決手段】  台紙付印刷用紙１に、カット装置２で、印刷する形にミシン目等の切れ目を入れる。切れ目入り印刷用紙３に、プリンタ４で印刷する。印刷済用紙５から、切れ目に沿って印刷部分６を切り離す。切り離した印刷部分６の台紙を剥がし、２つ折りにする。ラミネート用フィルム11を、裁断装置12で所定の形に裁断する。裁断済ラミネート用フィルム13を２つ折にして、その間に２折印刷部分７を挟み込む。２折印刷部分７を挟み込んだ挿入済印刷部分８を、ラミネータ９で熱圧着する。このようにして、不定形の印刷物を効率的にラミネート加工することができる。【選択図】      図１
2005028787.tif 000002
【特許請求の範囲】
【請求項１】
予め印刷部分の形状に従ってミシン目等の切れ目の入れられた台紙付印刷用紙と、前記台紙付印刷用紙の印刷部分に対して余白を付加した形状に断裁されたラミネート用フィルムとを用意し、前記台紙付印刷用紙に印刷して、前記印刷部分を前記台紙から切り離し、前記ラミネート用フィルムで前記印刷部分にラミネート処理を行うことを特徴とするラミネート処理方法。
【請求項２】
前記台紙付印刷用紙の印刷部分の形状に従ってミシン目等の切れ目を入れるカット工程と、前記ラミネート用フィルムを、前記印刷部分に対して余白を付加した形状に裁断する裁断工程と、前記台紙付印刷用紙に印刷する印刷工程と、前記台紙付印刷用紙から印刷部分を切り離す分離工程と、切り離した印刷部分を前記ラミネート用フィルムに挟み込む挿入工程と、前記印刷部分を挟み込んだ前記ラミネート用フィルムを熱圧着する圧着工程とを有することを特徴とする請求項１記載のラミネート処理方法。
【発明の詳細な説明】
【技術分野】
【０００１】
本発明は、ラミネート処理方法に関し、特に、任意の形状の印刷物をラミネート加工できるラミネート処理方法に関する。
【背景技術】
【０００２】
写真や印刷物などを透明フィルムに挟んで熱圧着して、完全にフィルムパックするラミネート加工がいろいろな分野で利用されている。ラミネート装置の例としては、特許文献１に開示されているようなものがある。透明フィルムとしては、ベース素材のポリエステル（融点260℃）と、感熱接着樹脂（融点90〜120℃）を２層にしたフィルムなどを利用する。最近は低融点タイプのフィルムも製造されてきており、もう少し融点の低いものもある。図３に示すように、ロールで上下から90〜120℃くらいの熱と圧力をかけて、写真や印刷物などの紙とフィルムを完全に接着する。フィルムの余白の部分を完全にシールして、丈夫なプラスチックフィルムで保護するので、濡れても破れなくなり、IDカードなどの偽造も防止できる。
【特許文献１】特開平11-286049号公報
【発明の開示】
【発明が解決しようとする課題】
【０００３】
従来のラミネート処理方法では、定形の印刷物をラミネート加工することは効率的にできるが、不定形の印刷物をラミネート加工する場合には、手作業によって印刷物を切り取っていたので、効率的に処理できないという問題があった。
【０００４】
本発明は、上記従来の問題を解決して、不定形の印刷物を効率的にラミネート加工することを目的とする。
【課題を解決するための手段】
【０００５】
上記の課題を解決するために、本発明では、ラミネート処理方法を、予め印刷部分の形状に従ってミシン目等の切れ目の入れられた台紙付印刷用紙と、台紙付印刷用紙の印刷部分に対して余白を付加した形状に断裁されたラミネート用フィルムとを用意し、台紙付印刷用紙に印刷して、印刷部分を台紙から切り離し、ラミネート用フィルムで印刷部分にラミネート処理を行う方法とした。
【発明の効果】
【０００６】
この方法により、不定形の印刷物を効率的にラミネート加工することができる。
【発明を実施するための最良の形態】
【０００７】
本発明では、印刷形状に従って台紙付印刷用紙にミシン目等の切れ目を入れて印刷して切り離し、余白を付加した形状にラミネート用フィルムを裁断し、印刷部分をラミネート用フィルムに挟んで熱圧着するラミネート処理方法により、不定形の印刷物を効率的にラミネート加工する。
【実施例】
【０００８】
図１は、本発明の実施例におけるラミネート処理方法の概念図である。図１において、台紙付印刷用紙１は、印刷用紙を台紙の上に剥離しやすいように貼り付けたものである。台紙は、粘着材のついた紙を剥し易くする離ケイ紙タイプなど、接着剤が容易に剥がれるようにした紙である。カット装置２は、台紙を切らずに印刷用紙のみにミシン目等の切れ目を入れる装置である。カッティングプロッタなどを利用することができる。切れ目入り印刷用紙３は、カット装置で印刷用紙のみにミシン目等の切れ目を入れ、台紙には切れ目を入れていない台紙付印刷用紙である。プリンタ４は、台紙付印刷用紙に絵や文字を印刷するプリンタである。インクジェットプリンタやレーザープリンタなどを利用できる。印刷済用紙５は、切れ目入り印刷用紙に印刷したものである。印刷部分６は、印刷した部分のみを切り離したものである。２折印刷部分７は、印刷部分を台紙から剥離して２つ折にしたものである。
【０００９】
挿入済印刷部分８は、裁断済ラミネート用フィルムに印刷部分を挟み込んだものである。ラミネータ９は、印刷部分を挟み込んだラミネート用フィルムを熱圧着する装置である。ラミネート製品10は、印刷部分をラミネート用フィルムで覆った製品である。ラミネート用フィルム11は、透明フィルムのベース素材に感熱接着樹脂を塗って２層にしたフィルムである。裁断装置12は、ラミネート用フィルムを、印刷物の形状に余白部分を付加した大きさで裁断する装置である。裁断済ラミネート用フィルム13は、所定の形に裁断されたラミネート用フィルムである。図２は、所定の形に裁断されたラミネート用フィルムの例である。
【００１０】
上記のように構成された本発明の実施例におけるラミネート処理方法の手順を説明する。図１に示すように、カット工程において、台紙付印刷用紙１に、印刷形状に従ってカット装置２でミシン目等の切れ目を入れる。印刷工程で、切れ目入り印刷用紙３にプリンタ４で印刷する。分離工程で、印刷済用紙５から印刷した部分のみを切り離す。裁断工程で、ラミネート用フィルム11を、図２に示すように、印刷形状に対して余白を付加した形状に、裁断装置12で裁断する。挿入工程で、裁断済ラミネート用フィルム13を２つ折にして、２折印刷部分７をラミネート用フィルムに挟み込む。圧着工程で、挿入済印刷部分８を、ラミネータ９で熱圧着する。
【００１１】
カット工程においては、台紙付印刷用紙１の印刷用紙部分のみにミシン目等の切れ目を入れる。台紙には切れ目を入れない。切れ目は連続した曲線でもよいが、印刷の途中などで印刷用紙が剥離しないように、ところどころに切れ目のない部分を残すとよい。大量に製造する場合は、プレスや刃付ローラーで打ち抜き加工によるハーフカット処理を行う。少量生産の場合は、パソコンで制御するカッティングプロッタなどを利用すればよい。
【００１２】
印刷工程では、切れ目入り印刷用紙３の切れ目の内部領域に、インクジェットプリンタなどのプリンタ４で、目的の画像などを印刷する。分離工程では、印刷済用紙５から印刷した部分のみを切り離す。切り離した印刷部分６の台紙を剥がし、２つ折りにする。
【００１３】
裁断工程では、ラミネート用フィルム11を、印刷部分に対して接着用余白を付加した大きさにして、裁断装置12で裁断する。挿入工程では、裁断済ラミネートフィルム13を２つ折にして、２折印刷部分７をラミネート用フィルムに挟み込む。周辺部が均等になるように、ラミネート用フィルムの折り目の部分の中心に、２折印刷部分７の折り目の中心部分を合わせて挟む。多少のずれがあっても問題はない。圧着工程では、挿入済印刷部分８を、ラミネート用フィルムの折り目の部分を先頭にしてラミネータ９で熱圧着する。ラミネート用フィルムの表面や糊面等に加工を施すことで、視覚効果を高めることもできる。片面印刷の印刷物を二つ折にしたものを、このように加工処理することで、両面印刷する場合の位置合わせが不要になる。
【００１４】
上記のように、本発明の実施例では、ラミネート処理方法を、印刷形状に従って台紙付印刷用紙にミシン目等の切れ目を入れて印刷して切り離し、余白を付加した形状にラミネート用フィルムを裁断し、印刷部分をラミネート用フィルムに挟んで熱圧着する方法としたので、不定形の印刷物を効率的にラミネート加工できる。
【産業上の利用可能性】
【００１５】
本発明は、任意の形状の印刷物を効率的にラミネート加工できるので、変形のラミネート製品を制作する場合に最適なラミネート処理方法である。さらに、手でカットしたものに比べて、見栄えも数段綺麗にでき、さまざまな厚みのラミネートフィルムを選択でき、ラミネートフィルムの表面に装飾的な加工もできるので、宣伝用印刷物や屋外用装飾物の制作にも好適なラミネート処理方法である。
【図面の簡単な説明】
【００１６】
【図１】本発明の実施例におけるラミネート処理方法の概念図、
【図２】本発明の実施例におけるラミネート処理方法の途中で所定の形に裁断されたラミネート用フィルムの例、
【図３】従来のラミネート処理方法の概念図である。
【符号の説明】
【００１７】
１  台紙付印刷用紙
２  カット装置
３  切れ目入り印刷用紙
４  プリンタ
５  印刷済用紙
６  印刷部分
７  ２折印刷部分
８  挿入済印刷部分
９  ラミネータ
10  ラミネート製品
11  ラミネート用フィルム
12  裁断装置
13  裁断済ラミネート用フィルム
【図１】
2005028787.tif 000003
【図２】
2005028787.tif 000004
【図３】
2005028787.tif 000005